(57)【特許請求の範囲】
【請求項１】
中央装置等の盤面部品が遊技部に装着される遊技盤を備えた弾球遊技機であって、前記遊技盤は、上下に配置され前記遊技部を有する交換可能な上の分割盤部及び該遊技部を有する交換可能な下の分割盤部とその間に配置される交換可能な中間の分割盤部とからなり、前記上下の分割盤部はベニヤ板を重合して成形され、前記中間の分割盤部は合成樹脂材からなると共に該中間の分割盤部に前記中央装置を設け、前記中間の分割盤部の横幅を前記上下の分割盤部と該中間の分割盤部とが上下に並べられた状態で該上下の分割盤部の横幅と同じ寸法になるように設定し、前記上の分割盤部の下端面と前記下の分割盤部の上端面と前記中間の分割盤部の上下両端面とを全体に亘り直線的であって互いに突き合わされる当接面としたことを特徴とする弾球遊技機。
【請求項２】
前記複数の分割盤部は、それぞれ係合手段により連結される請求項１記載の弾球遊技機。
【発明の詳細な説明】
【０００１】
【発明の属する技術分野】
本発明は、中央装置等の盤面部品が装着される遊技盤を複数の分割盤部により構成するようにした弾球遊技機に関するものである。
【０００２】
【従来の技術】
弾球遊技機の一つであるパチンコ遊技機は、縦長方形枠状の機枠の前面に前面枠が装着されており、この前面枠に遊技盤が取り付けられる。また、前記前面枠の前面には、打球供給皿が設けられる前面板と共にその上方に位置して遊技盤の前面を覆うガラス扉枠が装着される。更に、前記前面枠の下部前面には、その中央に余剰球貯留皿及びその一側に位置して打球の打球力を調節するための操作ハンドルが設けられている。
【０００３】
一般に、前記遊技盤は、ベニヤ板を重合させてほぼ正方形または円形に成形される。そして、その前面に接着剤を介して化粧板である合成樹脂製の所謂セル板が貼着され、その前面に多くの盤面部品が装着されることとなる。その盤面部品としては、例えば、遊技盤の前面に渦巻状に敷設される内・外側ガイドレールを始め、そのほぼ中央に配置される可変表示装置や大型の入賞装置といった中央装置、入賞口、入賞装置、風車、障害釘などが有る。
【０００４】
そこで、前記遊技盤には、中央装置、入賞口等の盤面部品を装着する関係上、初期の段階で、そのための取付穴を開けるべくルーター加工が施される。更に詳しくは、表面に所定のデザイン図が描かれた遊技盤をテーブル上に配置固定し、このテーブル及びテーブルの上方に設置された刃物を機械的に制御して平面内で縦横に相対的に移動させると共にそれら刃物を回転駆動させて切削し、遊技盤に取付穴を成形するようにしている。
【０００５】
ところで、従来のルーター加工装置で遊技盤に取付穴をあける場合は、その取付穴の内周縁に沿って刃物を回転駆動させるが、中身をそのまま残すようなことはせず、前記刃物を平面内で縦横に相対的に移動させて取付穴で囲まれる部分全体を削り取るようにしている。このように、取付穴内を総て切削し切削屑として廃棄処理するのは、切削屑が粉体である方が迅速な焼却処理ができるからである。また、加工に際しては多くの切削屑が空中に舞うため、集塵ダクトで浮遊する切削屑を吸引するようにしている。
【０００６】
【発明が解決しようとする課題】
しかしながら、前記遊技盤は所定の大きさを有し、成形後はセル板を貼着するまで保管されるので、その間に時間が経つと空気中の湿気を吸収するなどして遊技盤が反ることがある。このように遊技盤が反ると、盤面部品を装着するための穴加工や障害釘の取付位置などの精度が狂い易く、また、前面枠の所定位置に遊技盤を取付ける際にも、遊技盤が歪んで取付けにくいといった課題が有る。
【０００７】
また、例えば、入賞装置等の盤面部品であって、その一部に古くて交換すべき時期の来たものがあるときは、他に、未だ使用可能な盤面部品が有るとしても、これらのみを取り外すには面倒な作業を強いられることから、やむなく遊技盤全体をそのまま廃棄しており、リデュース、リユースまたはリサイクルが十分になされてないのが現状であり、ゴミの増量も招いている。しかも、前記遊技盤を分別処理する場合は、これに多くの盤面部品が装着されていることから、それらを取外して分別する作業が非常に面倒であるという課題が有る。
【０００８】
ところで、近時、前記遊技盤のほぼ中央に装着される中央装置、すなわち可変表示装置が非常に大型化する傾向にあり、このため、その取付穴をルーター加工するに、多くの時間が掛かり作業能率を向上させることができず、また、集塵ダクトが作動するも切削屑が粉塵として作業部屋内に飛散することとなり作業環境が非常に悪く、しかも、前記排出される切削屑の量も多くなりゴミとしての処理量も増加してゴミ問題に繋がるばかりか、前記接着剤やセル板にはダイオキシンが含有され、焼却した場合の環境汚染が懸念されるという課題が有る。
因みに、パチンコ遊技機全体の６０パーセント重量はリサイクルとして再利用することが義務づけられるようになっている。
【０００９】
そこで、本発明は上記課題に鑑みてなされたもので、遊技盤を複数の分割盤部により構成し、また、これらを交換可能に設けることにより、遊技盤の反りが抑えられ、経済的であるばかりかリデュース等が十分に行なえ、更には、ルーター加工が少なくて済み作業環境が改善され、ゴミとしての切削屑の発生も減少させることができる弾球遊技機を提供することを目的とするものである。
【００１０】
【課題を解決するための手段】
かかる目的を達成するため、本発明に係る弾球遊技機は、中央装置等の盤面部品が装着される遊技盤を備えた弾球遊技機であって、前記遊技盤は、複数の分割盤部により構成される。ここで、各分割盤部はいずれもベニヤ板を重合させたものまたは合成樹脂材であっても良く、更にはこれらの組合わせであっても良い。
【００１１】
このように、遊技盤を複数の分割板部により構成するようにしたので、個々の分割盤部では反りが少なく、このため、遊技盤全体の反りが抑えられて穴加工等の精度に狂いが生じにくく、前面枠の所定位置にも取り付け易い。
【００１２】
また、中央装置等の盤面部品が装着される遊技盤を備えた弾球遊技機であって、前記遊技盤は、複数の分割盤部により構成されると共に該各分割盤部は交換可能に設けられる。
【００１３】
各分割盤部が交換可能に設けられるとは、パチンコメーカーにあって、各分割盤部が一定の組合わせであったものを、その内一部のものについて例えばデザインの異なる分割盤部と入れ替えることをいい、また、パチンコホールにあって、前記以外に入賞装置等の盤面部品が古くなってその一部の分割盤部を交換するようなときに、新しい入賞装置等が装着された分割盤部と交換することをいう。
【００１４】
そして、各分割盤部を交換可能に設けることにより、パチンコメーカーにあって、種々のデザインの分割盤部を揃えておき、それらを適宜交換することにより新しいデザインの遊技盤が構成され、新機種の弾球遊技機に適用可能となる。また、パチンコホールにあっては、前記のように一部の分割盤部のみ交換すればよいことから、新しいデザインの遊技盤が構成でき、経済的であるばかりかリデュース等が有効的に行なわれることとなる。しかも、最終的な廃棄分別処理が簡単になり、ゴミとしての量も減少させることができる。
【００１５】
具体的には、例えば、中央装置等の盤面部品が遊技部に装着される遊技盤を備えた弾球遊技機であって、前記遊技盤は、上下に配置され前記遊技部を有する交換可能な上の分割盤部及び該遊技部を有する交換可能な下の分割盤部とその間に配置される交換可能な中間の分割盤部とからなり、前記上下の分割盤部はベニヤ板を重合して成形され、前記中間の分割盤部は合成樹脂材からなると共に該中間の分割盤部に前記中央装置を設け、前記中間の分割盤部の横幅を前記上下の分割盤部と該中間の分割盤部とが上下に並べられた状態で該上下の分割盤部の横幅と同じ寸法になるように設定し、前記上の分割盤部の下端面と前記下の分割盤部の上端面と前記中間の分割盤部の上下両端面とを全体に亘り直線的であって互いに突き合わされる当接面とした構成が採られる。
【００１６】
この場合、中間の盤面部品が合成樹脂材により成形され、しかも、前記中間の盤面部品に中央装置が設けられることから、前記作用・効果に加え、ルーター加工が少なくて済み、遊技盤の製作時間が短縮できて作業能率の向上が図られる。また、排出される切削屑の量が減少されるので、作業環境が改善できるばかりか、ゴミとしての処理量も減少させることができゴミ問題に寄与する。更には、排出される切削屑を焼却したときの環境汚染も抑制される。
【００１７】
複数の分割盤部が連結される係合手段とは、例えば、係合片と該係合片が係合する係合孔、ダボと該ダボが嵌入するダボ孔などが有る。
【００１８】
【発明の実施の形態】
以下、本発明に係る弾球遊技機の実施の形態を図面に基づき説明する。なお、弾球遊技機には、例えばパチンコ遊技機、アレンジボール機または雀球遊技機があるが、本発明にあっては、一例としてパチンコ遊技機について説明する。
【００１９】
図１は、本発明が適用されるパチンコ遊技機の正面図、図２は同前から見た分解斜視図である。図において、１はパチンコ遊技機Ｐの機枠であって縦長方形枠状に形成されており、その前面に額縁状の前面枠２が、その右側上下部を前記機枠１の同側上下部に設けた軸支部３によって軸支され、回動自在に装着されている。そして、前記機枠１と前面枠２とにより遊技機本体が構成される。前記前面枠２の上部中央には窓開口４が開設される。前面枠２の裏面には本発明に係る遊技盤５が配置され、その前面の遊技部５ａが前記窓開口４に臨むようになっている。
【００２０】
前記前面枠２の前面に、遊技盤５の前面の遊技部５ａを覆う透明な二枚のガラス板６を備えたガラス扉枠７及び遊技盤５の下部を覆う前面板８が装着されている。前記前面板８の前面に、貯留された弾球であるパチンコ球を打球発射部１７に供給するための打球供給皿９が装着されている。また、前記前面枠２の下部に位置する下部前板１０の前面には、前記打球供給皿９から溢れるパチンコ球を貯留する余剰球貯留皿１１が装着されている。１２は、下部前板１０前面の左側に設けられ、打ち出されるパチンコ球の打球力の強弱を調節する操作ハンドルである。
【００２１】
前記前面枠２は合成樹脂材により縦長方形状に形成され、周縁には枠部１３が設けられている。そして、その内側に覆板部１４が張設され、この覆板部１４に前記窓開口４が開設されることとなる。前記覆板部１４の前面下部には、その平坦な取付面１５に発射レール１６と前記操作ハンドル１２の操作により該発射レール１６の打球発射部１７に供給されるパチンコ球を発射させるための発射装置１８が取り付けられる。
【００２２】
前記前面枠２の裏面に、図３に示すように窓開口４を囲うようにして方形枠状の取付枠部１９が一体に設けられ、下部の棚部２０上面に遊技盤５を載置して嵌め込まれるようになっている。前記取付枠部１９の内側であって覆板部１４裏面の所定位置に、遊技盤５を位置決めするため後方へ突出するボス２１が複数設けられている。また、取付枠部１９の両側上下位置に、嵌め込まれた遊技盤５が取付枠部１９から脱落しないように固定するための固定具２２が設けられている。この固定具２２は、鉛直面内で自在に回転するように軸支され、一側面に突設された押え片２３が前記遊技盤５の裏面に当接するようになっており、これにより遊技盤５がしっかりと固定されることになる。
【００２３】
前記窓開口４は略円形状をなしており、その内周面に外側ガイドレール２４が装着される。そして、その表面が所定の弾道軌跡を形成するような弧面をなす。また、外側ガイドレール２４は、一旦発射されるも飛走力が弱い等の理由により戻ってくる所謂戻り球を前記余剰球貯留皿１１に導くため、窓開口４の下方に設けられた戻り球排出口２５を介して前記発射レール１６の先端部と連なることとなる。
【００２４】
次に、本発明に係る遊技盤について説明する。この遊技盤５は、図４、図５に示すように上の分割盤部５Ａ及び下の分割盤部５Ｂとその間に配置される中間の分割盤部５Ｃとの三部材からなる。このうち、上下の分割盤部５Ａ，５Ｂはベニヤ板を重合して横長長方形状に成形され、また中間の分割盤部５Ｃは合成樹脂材により同じく横長長方形状に成形されている。上下の分割盤部５Ａ，５Ｂと中間の分割盤部５Ｃとを上下に並べた状態では、中間の分割盤部５Ｃの横幅が上・下の分割盤部５Ａ，５Ｂの横幅と同じ寸法にしてあり、全体に本来の遊技盤の縦・横幅と同じ寸法になる。そして、中間の分割盤部５Ｃの中央に可変表示装置２６が一体に設けられる。
【００２５】
前記可変表示装置２６は、中間の分割盤部５Ｃの中央部に装置本体２８が一体に成形され、その前面に文字、数字、図形等の表示が変動表示される表示部２９が設けられ、その表示部２９が前側から視認できるようになっている。また、表示部２９の上縁には上方へ張り出される装飾板３０が一体に設けられ、その前面に電飾効果を上げるために各種のランプ３１が装着されている。前記中間の分割盤部５Ｃの前面両側には装飾を兼ねた略円弧状の飾り部材３２が設けられている。この飾り部材３２の外周面は、後記する内側ガイドレール４２と同じ曲率半径の円弧面に成形されている。更に、各飾り部材３２には、前記中間の分割盤部５Ｃの上・下端縁から突出する部分の裏面にそれぞれ上下の分割盤部５Ａ，５Ｂに対し中間の分割盤部５Ｃを位置決めし連結するための係合手段としてのボス３３が突設されている。３４は、前記装置本体２８と飾り部材３２との間に位置して中間の分割盤部５Ｃの前面に装着される盤面部品としての風車である。
【００２６】
前記中間の分割盤部５Ｃの上端面５ｄと下端面５ｅは、全体に亘り凹凸がなく直線的でありかつ平行であって、上下端面５ｄ，５ｅとこれらに当接する前記上下の分割盤部５Ａ，５Ｂの下端面５ｂまたは上端面５ｃとが当接面となる。また、上の分割盤部５Ａの下端面５ｂと下の分割板部５Ｂの上端面５ｃも、前記中間の分割盤部５Ｃの上下端面５ｄ，５ｅに対応位置して全体に亘り凹凸がなく直線的である。更に、上下の分割盤部５Ａ，５Ｂの両側前面には、飾り部材３２に設けられたボス３３に対応位置する係合手段としてのボス孔３５ａと前記前面枠２に設けられたボス２１と対応位置するボス孔３５ｂが上下一対開設されている。なお、前記係合手段としてのボス３３、ボス孔３５ａは、上下の分割盤部５Ａ，５Ｂと中間の分割盤部５Ｃがしっかりと位置決めされれば設けなくても良い。
【００２７】
そして、中間の分割板部５Ｃの上下に上下の分割盤部５Ａ，５Ｂをそれぞれ配置し、上の分割盤部５Ａの下端面５ｂを中間の分割板部５Ｃの上端面５ｄに突き合わすと共に下の各ボス孔３５ａに飾り部材３２の上のボス３３を嵌入する。また、下の分割盤部５Ｂの上端面５ｃを中間の分割板部５Ｃの下端面５ｅに突き合わすと共に上の各ボス孔３５ａに飾り部材３２の下のボス３３を嵌入する。これにより、上下の分割盤部５Ａ，５Ｂが中間の分割盤部５Ｃに連結され、しかも、上下の分割盤部５Ａ，５Ｂの前面と中間の分割盤部５Ｃの前面とが面一となる。
【００２８】
前記上の分割盤部５Ａの前面であって外側ガイドレール１４で囲われる部分と下の分割盤部５Ｂの前面であって内側ガイドレール４２で囲われる部分が遊技部５ａとなる。そして、上の分割盤部５Ａの前面には、その遊技部５ａに盤面部品である複数の障害釘３６が植設されている。２７は、一方の飾り部材３２の上方に配置され、遊技部５ａに打ち込まれても逆に戻ってしまう戻り球が発生しないようにその戻り球を止める戻球防止装置である。
【００２９】
また、下の分割盤部５Ｂの前面には、その遊技部５ａの中央上部にパチンコ球の入賞により前記表示部２９の文字、数字、図形等の表示を変動表示させる始動入賞口３７が配設され、その下方に前記変動した表示が一定の時間経過後に停止して特定の表示（例えば「７７７」）を示し、遊技者にとって有利な特別遊技状態になったとき、一定の条件の下で開閉扉３９を所定回数開成させ一度に多くの入賞球が得られる入賞装置３８が配設されている。前記始動入賞口３７は、パチンコ球が入賞し難い起立またはパチンコ球が入賞し易い傾動位置に自在に変換可能な一対の可動翼片４０，４０を有している。更に、前記始動入賞口３７の両側に一般入賞口４１が配設される。
【００３０】
そして、下の分割盤部５Ｂの前面に前記始動入賞口３７等の盤面部品の下方を囲うように下方に窪む円弧状の内側ガイドレール４２が敷設されている。この内側ガイドレール４２の両端部は、前記両側の飾り部材３２の外側面に連なるようになっている。内側ガイドレール４２の下部には、遊技部５ａを流下して前記始動入賞口３７、一般入賞口４１などに入賞しなかったパチンコ球をアウト球として遊技盤５の後方へ回収するアウト球口４３が開設されている。この下の分割盤部５Ｂにも所定位置に複数の障害釘３６が植設されている。
【００３１】
このようにして、構成された遊技盤５は前面枠２の裏側から取付枠部１９内に嵌め込まれ、上の分割盤部５Ａの上のボス孔３５ｂに上のボス２１を嵌入させ、下の分割盤部５Ｂの下のボス孔３５ｂに下のボス２１を嵌入する。この状態で、各固定具２２の押え片２３を回動させ遊技盤５の裏面に当接させる。これにより、遊技盤５がしっかりと固定される。前記内・外側ガイドレール２４，４２は、渦巻き状に配設され、その間に球飛走通路４４が形成されると共に内側ガイドレール４２の終端位置に前記遊技部５ａと連なる球放出口４５が形成される。なお、取付枠部１９に対しては、上下の分割盤部５Ａ，５Ｂと中間の分割盤部５Ｃを共に連結した遊技盤５を嵌め込むようにしたが、可能であれば、これら分割盤部５Ａ，５Ｂ，５Ｃを別々に嵌め込むようにしても良い。
【００３２】
本発明は上記構成からなり、遊技盤５を中間の分割盤部５Ｃとこれを挟んで上下に位置する上下の分割盤部５Ａ，５Ｂとから構成し、また、これらを交換可能に設けるようにすれば、個々の分割盤部５Ａ，５Ｂ，５Ｃでは反りが少なく、このため、遊技盤５全体の反りが抑えられて穴加工等の精度に狂いが生じにくく、前面枠２の所定位置にも取り付け易い。
【００３３】
また、パチンコメーカーにあっては、種々のデザインの上下及び中間の分割盤部５Ａ，５Ｂ，５Ｃを多数揃えておき、それらを適宜交換することにより図６に示すように新しいデザインの遊技盤５１が構成されるようにすれば、新機種の弾球遊技機に適用可能となる。すなわち、この遊技盤５１では、上の分割盤部５Ａは本実施の形態と共通し、中間の分割盤部５Ｄと下の分割盤部５Ｅが他のデザインのものに入れ替えられている。なお、本実施の形態とほぼ同じ構成からなるので、同一部位は同一番号を付すことにより説明は省略する。更に詳しくは、この実施の形態では、中間の分割盤部５Ｄの前面に横並びに設けられた三個の表示部２９と両側の飾り部材３２ａとのデザインが本実施の形態と異なる。また、下の分割盤部５Ｅにあっては、入賞装置３８と一般入賞口４１のデザインが本実施の形態と異なる。
【００３４】
更に、パチンコホールにあっては、いずれかの分割盤部５Ａ，５Ｂ，５Ｃに装着される盤面部品が古くなったときは、その分割盤部５Ａ，５Ｂ，５Ｃのみを同種の新しいものと交換すればよく、また、パチンコメーカーのように新機種とするため一部の分割盤部、例えば中間の分割盤部５Ｃのみを交換するようにしても良く、このようにすれば経済的である。
【００３５】
更にまた、中間の分割盤部５Ｃを合成樹脂材により成形すると共にこの中間の分割盤部５Ｃに可変表示装置２６を設けるようにすれば、この分、ルーター加工も少なくて済む。また、これにより排出される切削屑の量が減少されることから、作業環境の改善が図られ、遊技盤５の製作時間も短縮できる。この場合、上の分割盤部５Ａの下端面５ｂと下の分割板部５Ｂの上端面５ｃとを、前記中間の分割盤部５Ｃの各上下端面５ｄ，５ｅと同じく全体に亘り直線的にして互いに突き合わせるようにすれば、各上下の分割盤部５Ａ，５Ｂに可変表示装置２６を取り付けるための取付穴を設ける必要がなく、ルーター加工が最小限で済む。
【００３６】
両実施の形態では、遊技盤５を上下の分割盤部５Ａ，５Ｂ，５Ｅと中間の分割盤部５Ｃ，５Ｄとの三部材により構成したが、これに限定されるものではなく、二部材、四部材または五部材等であっても良い。また、上下の分割盤部５Ａ，５Ｂ，５Ｅをベニヤ板を重合して成形し、中間の分割盤部５Ｃを合成樹脂材により成形したが、これに限られることはなく、前記部材数と合わせて材質は自由に決定される。
【００３７】
ただ、ルーター加工を少なくしようとすれば、前記両実施の形態で説明したような構成とする必要性がある。また、上下の分割盤部５Ａ，５Ｂ，５Ｅと中間の分割盤部５Ｃ，５Ｄとを連結する係合手段は前記ボス３３とボス孔３５ａに限られることはなく、図示は省略するが、係合片とこれが係合する係合孔等であっても良い。
【００３８】
【発明の効果】
以上説明したように、本発明に係る弾球遊技機は、盤面部品が装着される遊技盤を備えた弾球遊技機であって、前記遊技盤は複数の分割盤部により構成されているので、個々の分割盤部では反りが少なく、このため、遊技盤全体の反りが抑えられて穴加工等の精度に狂いが生じにくく、前面枠の所定位置にも取り付け易いという効果がある。
【００３９】
また、遊技盤が、複数の分割盤部により構成されると共に該各分割盤部は交換可能に設けられるようにすれば、各分割盤部の一部のみの交換が可能となり、種々のデザインの分割盤部を揃えておけば、それらを交換することにより新しいデザインの遊技盤が構成され、新機種の弾球遊技機に適用可能であり、しかも、そこに装着される盤面部品が古くなったときは、それのみを交換すればよく、経済的であるばかりかリデュース等が有効的に行なわれる。更に、分別処理が簡単になり、ゴミとしての量を減少させることができるという効果がある。
【００４０】
更に、遊技盤は、上下に配置され遊技部を有する交換可能な上の分割盤部及び遊技部を有する交換可能な下の分割盤部とその間に配置される交換可能な中間の分割盤部とからなり、前記上下の分割盤部はベニヤ板を重合して成形され、前記中間の分割盤部は合成樹脂材からなると共に該中間の分割盤部に前記中央装置を設け、前記中間の分割盤部の横幅を前記上下の分割盤部と該中間の分割盤部とが上下に並べられた状態で該上下の分割盤部の横幅と同じ寸法になるように設定し、前記上の分割盤部の下端面と前記下の分割盤部の上端面と前記中間の分割盤部の上下両端面とを全体に亘り直線的であって互いに突き合わされる当接面とすれば、その分、ルーター加工が少なくて済み、遊技盤の製作時間が短縮でき作業能率の向上が図られる。また、排出される切削屑の量が減少されるので、作業環境が改善できるばかりか、ゴミとしての処理量も減少させることができゴミ問題に寄与する。更には、排出される切削屑を焼却したときの環境汚染も抑制されるという効果がある。
【図面の簡単な説明】
【図１】  本発明が適用されるパチンコ遊技機の正面図。
【図２】  前から見たパチンコ遊技機の分解斜視図。
【図３】  遊技盤を分解して示す後から見た前面枠の分解斜視図。
【図４】  遊技盤の正面図。
【図５】  遊技盤の正面分解図。
【図６】  他の実施の形態に係る遊技盤の正面分解図。
【符号の説明】
５                          遊技盤
５Ａ                        上の分割盤部
５Ｂ                        下の分割盤部
５Ｃ                        中間の分割盤部
５ａ                        遊技部
５ｂ                        下端面
５ｃ                        上端面
５ｄ                        上端面
５ｅ                        下端面
２６                        可変表示装置
５１                        遊技盤
Ｐ                          パチンコ遊技機
【図１】
0004213903.tif 000002
【図２】
0004213903.tif 000003
【図３】
0004213903.tif 000004
【図４】
0004213903.tif 000005
【図５】
0004213903.tif 000006
【図６】
0004213903.tif 000007